【手続補正書】
【提出日】平成22年10月14日(2010.10.14)
【手続補正１】
【補正対象書類名】特許請求の範囲
【補正対象項目名】全文
【補正方法】変更
【補正の内容】
【特許請求の範囲】
【請求項１】
被選別穀粒を粒径選別する選別部と、選別部に被選別穀粒を揚送搬入する昇降部とを備えて成る穀粒選別装置であって、
選別部の駆動機構と昇降部の駆動機構はそれぞれ回転機構を有しており、その選別部の回転機構と昇降部の回転機構を同一軸構造とするとともに、前記選別部と昇降部の回転機構を回転駆動するための一つの駆動電動機を設けたことを特徴とする穀粒選別装置。
【請求項２】
前記選別部の回転機構が、規定網目の選別網面を有する固定選別筒体の内面に接して回転する可撓性板からなる掻き上げ回転体から成り、前記昇降部の回転機構が上部の駆動プーリと下部の従動プーリとに、被選別穀粒を揚送する多数の突起を有する搬送ベルトを懸架して構成され、前記掻き上げ回転体と昇降部の駆動プーリとを同一軸構造とし、その駆動プーリを前記駆動電動機で回転駆動する構成としたことを特徴とする請求項１記載の穀粒選別装置。
【請求項３】
前記昇降部の下部に、該昇降部に被選別穀粒を供給する投入ホッパを配置するとともに、前記選別部の上部に前記駆動電動機を配置したことを特徴とする請求項１又は２記載の穀粒選別装置。
【請求項４】
被選別穀粒を粒径選別する選別部と、選別部に被選別穀粒を揚送搬入する昇降部とを備えて成る穀粒選別装置であって、
選別部の外装体と昇降部の外装体とを、選別部と昇降部とを仕切る平面壁を有する一体壁構成とし、
昇降部を構成する昇降部機構を前記平面壁に組み付けて成ること
を特徴とする穀粒選別装置。
【手続補正２】
【補正対象書類名】明細書
【補正対象項目名】全文
【補正方法】変更
【補正の内容】
【発明の詳細な説明】
【発明の名称】穀粒選別装置
【技術分野】
【０００１】
本発明は、玄米または白米等の被選別穀粒を粒径、粒状により選別する穀粒選別装置に関するものである。
【背景技術】
【０００２】
摺機で籾摺りした玄米または精米機で精米した白米には、粒径の小さい未熟粒が混在していたり、また籾摺りによって穀粒の表面が摩擦や研削作用を受けるところから、穀粒の一部に破砕が生じたり、変形が生じることが避けられない。このため、従来から、玄米または精白米を粒状選別して屑粒を除去する穀物選別装置として回転する選別網筒を備えた構成のものが用いられており、選別網筒を固定してその内部で可撓性板の撹拌翼を回転させるものも開発されている（特開２００７−１５２３５１公報、特開２００５−２３８２０３公報参照）。
【０００３】
また、玄米または白米を米選機により選別して屑粒として取り出されたものを再選別して、用途別に穀粒を区分けすることが行われており、そのための穀類選別装置に付設して使用する穀粒選別機も開発されている。そして、この穀粒選別装置においては被選別穀粒を投入するための揚穀機（昇降機）を併設することが行われている（特開２０００−２１８２３３公報、特開２０００−２０２３６４公報参照）。なお、選別装置本体に昇降機を併設することについては、特開２００７−９８２７６公報、特開２００７−２１３８１公報及び特開２００７−２１３８２公報にそれぞれ開示されている。
【特許文献１】特開２００７−１５２３５１公報
【特許文献２】特開２００５−２３８２０３公報
【特許文献３】特開２０００−２１８２３３公報
【特許文献４】特開２０００−２０２３６４公報
【特許文献５】特開２００７−９８２７６公報
【特許文献６】特開２００７−２１３８１公報
【特許文献７】特開２００７−２１３８２公報
【発明の開示】
【発明が解決しようとする課題】
【０００４】
前掲の特許文献の一部にも紹介されているように、穀粒選別装置などの各種穀物調製装置においては、被調製穀物の搬入や搬出のための昇降機を用いているが、穀物調製装置とは別体の昇降機を併設したり、あるいは穀物調製装置に取り付けて使用する態様となってしまい、穀物調製装置の機能として本来ないしは多くの場合に必要とする昇降機能の一体化が図られず、殊に前掲の特開２００７−２１３８１公報に示す小型の穀粒選別機のように小型であることに利便性と汎用性が求められるものにあっては、昇降機を併設したり取り付けることにより、本来の有用性を著しく損なわれることが指摘されていた。
【０００５】
そこで本発明は、選別部の外装体と昇降部の外装体とを、選別部と昇降部とを仕切る平面壁を有する一体壁構成とし、昇降部を構成する昇降部機構を前記平面壁に組み付ける構成とすることにより、穀粒選別装置そのものに、穀粒選別装置の機能として本来ないしは多くの場合に必要とする昇降機能を略完全に合体させ、もって利便性及び汎用性にすぐれた穀粒選別装置を提供することを目的とするものである。
【課題を解決するための手段】
【０００６】
上記目的を達成する本発明は請求項１ないし４に係る穀粒選別装置を提供する。すなわち、請求項１に係る穀粒選別装置は、被選別穀粒を粒径選別する選別部と、選別部に被選別穀粒を揚送搬入する昇降部とを備えて成る穀粒選別装置であって、
選別部の駆動機構と昇降部の駆動機構はそれぞれ回転機構を有しており、その選別部の回転機構と昇降部の回転機構を同一軸構造とするとともに、前記選別部と昇降部の回転機構を回転駆動するための一つの駆動電動機を設けたことを特徴とするものである。
【０００７】
請求項２に係る穀粒選別装置は、請求項１記載の構成において、前記選別部の回転機構が、規定網目の選別網面を有する固定選別筒体の内面に接して回転する可撓性板からなる掻き上げ回転体から成り、前記昇降部の回転機構が上部の駆動プーリと下部の従動プーリとに、被選別穀粒を揚送する多数の突起を有する搬送ベルトを懸架して構成され、前記掻き上げ回転体と昇降部の駆動プーリとを同一軸構造とし、その駆動プーリを前記駆動電動機で回転駆動する構成としたことを特徴とするものである。
【０００８】
請求項３に係る穀粒選別装置は、請求項請求項１又は２記載の構成において、前記昇降部の下部に、該昇降部に被選別穀粒を供給する投入ホッパを配置するとともに、前記選別部の上部に前記駆動電動機を配置したことを特徴とするものである。
【０００９】
請求項４に係る穀粒選別装置は、被選別穀粒を粒径選別する選別部と、選別部に被選別穀粒を揚送搬入する昇降部とを備えて成る穀粒選別装置であって、選別部の外装体と昇降部の外装体とを、選別部と昇降部とを仕切る平面壁を有する一体壁構成とし、昇降部を構成する昇降部機構を前記平面壁に組み付けて成ることを特徴とするものである。
【発明の効果】
【００１０】
本発明によれば、選別部の外装体と昇降部の外装体とを、選別部と昇降部とを仕切る平面壁を有する一体壁構成とし、昇降部を構成する昇降部機構を前記平面壁に組み付ける構成とすることにより、穀粒選別装置そのものに、穀粒選別装置の機能として本来ないしは多くの場合に必要とする昇降機能を略完全に合体させることができ、利便性及び汎用性にすぐれた穀粒選別装置を得ることができる。
【発明を実施するための最良の形態】
【００１１】
図面は本発明の一実施の形態に係る穀粒選別装置を例示している。図１ないし図３に示すように、本発明に係る穀粒選別装置１は、被選別穀粒を粒径選別する選別部２と、選別部２に被選別穀粒を揚送搬入する昇降部３とを備えているものであって、選別部２の外装体４と昇降部３の外装体５は、選別部２と昇降部３とを仕切る平面壁６を有して一体壁構成となっており、平面壁６は、その上部が穀粒供給樋７を形成するように段差面８を成している。穀粒供給樋７の底部には穀粒供給口９が開口している。昇降部３は垂直姿勢ないしはそれに近い傾斜姿勢と成っている。
【００１２】
選別部２は、固定選別筒体１０と、掻き上げ回転体１１を備えて構成され、固定選別筒体１０は規定網目の選別網面１２を有し、掻き上げ回転体１１は、固定選別筒体１０内でその内面に接して回転する可撓性板１２を備えているものである。この可撓性板１２は、ウレタンゴム板のように適度の弾発性と撓み性を有するとともに固定選別筒体１０の内面に対して摩擦係数の低い材料であることが好適である。なお、掻き上げ回転体１１は、適度の弾発性と撓み性を有するとともに固定選別筒体１０の内面に対して摩擦係数の低いものであれば、ブラシなどに代えることもできる。また、選別部２の構成は必ずしも固定選別筒体１０と掻き上げ回転体１１を備えたものでなくてもよい。
【００１３】
固定選別筒体１０の一端面は、それと一体をなす側面板１３で閉じられている。側面板１３には、固定選別筒体１０の軸心位置より下方の部位に被選別穀粒の排出口１４が形成されている。側面板１３にはその固定選別筒体１０の軸心位置に、掻き上げ回転体１１の回転軸１５の一方の軸受１６が設けられている。掻き上げ回転体１１の回転軸１５の他方の軸受１７は、前記平面壁６の段差面８に設けられている。１８は屑粒排出口である。
【００１４】
昇降部３を構成する昇降部機構は前記平面壁６に組み付けて構成されている。すなわち、選別部２の掻き上げ回転体１１の回転軸１５と昇降部３を構成する昇降部機構の駆動プーリ１９とは同一軸構造であって、回転軸１５は他方の軸受１７を介して平面壁６の段差面８に組み付けられた構成となっており、従動プーリ２０は、平面壁６の下部に軸支されている。駆動プーリ１９と従動プーリ２０間には、被選別穀粒を揚送する多数の突起２１を有する搬送ベルト２２を懸架してあり、平面壁６は搬送ベルト２２を囲む受け形状を成していて、搬送ベルト２２の穀粒揚送側にはその内側に沿った案内壁２３を平面壁６に設けて穀粒揚送路２４を形成している。また、平面壁６の下部には前記穀粒揚送路２４に通じるように従動プーリ２１の外周下部を取り巻く円弧状の案内壁２５を設けてあり、その穀粒揚送路２４に通じる部分は搬送方向に細長い糠取りメッシュ面２６となっている。平面壁６の駆動プーリ１９と従動プーリ２０間の穀粒非搬送側には、搬送ベルト２２を適度の緊張状態に保持するベルトテンション機構２７を備えている。
【００１５】
平面壁６の前面は覆い蓋板２８により閉蓋されるが、覆い蓋板２８の下部前面には被選別穀粒の投入ホッパ２９が備えられており、投入ホッパ２９の穀粒落下口３０は穀粒揚送路２４に連通しているとともに、穀粒落下口３０は投入ホッパ２９に投入された被選別穀粒が穀粒揚送路２４に滞りなく流れる誘導形状を成している。
【００１６】
選別部２の掻き上げ回転体１１と昇降部３の駆動プーリ１９の同一軸構造を成している回転軸１５の覆い蓋板２８の軸孔３１から外部に突出する軸端部には、伝動プーリ３２が取り付けられている。選別部２及び昇降部３の駆動電動機３３は選別部３の外装体４上に搭載されており、この駆動電動機３３の出力プーリ３４と前記伝動プーリ３２間には伝動ベルト３５が懸架され、駆動電動機３３により昇降部３の駆動プーリ１９と選別部２の掻き上げ回転体１１が同速で回転駆動されるように成っている。選別部２の掻き上げ回転体１１の回転速度は高速状態であるから昇降部３の駆動プーリ１９も高速状態の回転となるので、駆動プーリ１９と従動プーリ２０とに懸架されている搬送ベルト２２が高速回転状態となる。
【００１７】
図示の実施の形態によれば、選別部２に対して昇降部３が下方に延びた形状となっているので、一方の脚３６、３６は昇降部３に取り付けることにより、一方の脚３６、３６は比較的短いものでよい。３７、３７は他方の脚である。
【００１８】
このため、搬送ベルト２２の突起２１により穀粒揚送路２４を揚送される被選別穀粒は、突起２１による押し送りと跳ね上げの両方作用を受けることになって、その相乗作用によって被選別穀粒の揚送効率が高く、また被選別穀粒は穀粒揚送路２４内で跳ね上げ作用を受けながら押し送りされるので、穀粒揚送路２４内において被選別穀粒の滞りが生ぜず、搬送ベルト２２を止めた際の穀粒の詰まりも生じない。
【００１９】
なお、搬送ベルト２２の各突起２１の間隔を比較的大きくとると跳ね上げ作用の効率を上げることができるので、突起２１による押し送り上げ作用との相関関係を勘案して突起２１の間隔を決めることになるが、昇降部３の搬送ベルト２２の回転速度にかかわらず高い揚送効率を維持することができる。
【００２０】
図示の実施の形態では、搬送ベルト２２として突起２１を有するものを用いているが、搬送ベルト２２は突起に換えて被選別穀粒に揚送作用を与える抵抗体であってよく、また搬送ベルト２２自体を抵抗を有する材質としたり、搬送ベルト２２の搬送側となる周面を被選別穀粒に揚送作用を与える抵抗面とすることができる。なお、図示の実施の形態では、昇降部３による搬送態様が垂直搬送となっているが、搬送角度をゆるくしても搬送することが可能なことは言うまでもない。
【００２１】
本発明に係る穀粒選別装置１は、前述のように選別部２と昇降部３とが略完全に一体化されており、全体として１つに纏まった装置としての形態を呈するので、利便性が高くしかも汎用性にすぐれたものとなる。
【図面の簡単な説明】
【００２２】
【図１】本発明の一実施の形態に係る穀粒選別装置の断面図である。
【図２】同上側面図である。
【図３】同上一部の分解斜視図である。
【図４】同上さらに一部の分解斜視図である。
【図５】本発明の一実施の形態に係る穀粒選別装置の全体を示す参考写真である。
【図６】同上一部を開いて示す参考写真である。
【符号の説明】
【００２３】
１  穀粒選別装置
２  選別部
３  昇降部
４  外装体
５  外装体
６  平面壁
７  穀粒供給樋
８  段差面
９  穀粒供給口
１０  固定選別筒体
１１  掻き上げ回転体
１２  選別網面
１３  側面板
１４  排出口
１５  回転軸
１６  一方の軸受
１７  他方の軸受
１８  屑粒排出口
１９  駆動プーリ
２０  従動プーリ
２１  突起
２２  搬送ベルト
２３  案内壁
２４  穀粒揚送路
２５  円弧状の案内壁
２６  糠取りメッシュ面
２７  ベルトテンション機構
２８  覆い蓋板
２９  投入ホッパ
３０  穀粒落下口
３１  軸孔
３２  伝動プーリ
３３  駆動電動機
３４  出力プーリ
３５  伝動ベルト
３６、３６  一方の脚
３７、３７  他方の脚